(57)【要約】      （修正有）【課題】簡単な構造で、壁面の補修等の際には別の場所に容易に移動でき、部屋などの壁面に簡単に置くことができ、しかも水の供給や管理が容易である緑化パネルを提供する。【解決手段】緑化パネル１０は、適宜厚さを有する枠体２０と、枠体２０の前面を覆う前面側網３０と、植物を定着させる緑化マット４０と、土壌５１と不織布５２とを１組または複数組重ねた植栽セット５０と、枠体２０の後面を塞ぐ後面側網６０とを有し、緑化マット４０は、前面側網側に配置され、植栽セット５０は、後面側網側に配置され、枠体２０の下部には、貯水部と排水栓と貯水目盛を備え、枠体２０の上部には、着脱式の蓋を備える。【選択図】図１
0003157945.tif 000002
【実用新案登録請求の範囲】
【請求項１】
適宜厚さを有する枠体と、
前記枠体の前面を覆う前面側網と、
植物を定着させる緑化マットと、
土壌と不織布とを１組または複数組重ねた植栽セットと、
前記枠体の後面を塞ぐ後面側網とを有し、
前記緑化マットは、前記前面側網側に配置され、
前記植栽セットは、前記後面側網側に配置され、
前記枠体の下部には、貯水部と排水栓と貯水目盛を備え、
前記枠体の上部には、着脱式の蓋を備える、
ことを特徴とする緑化パネル。
【考案の詳細な説明】
【技術分野】
【０００１】
この考案は、建物の室内の壁面、屋外の壁面、ベランダなどの構造物の壁面などに設けられる緑化パネルに関するものである。
【背景技術】
【０００２】
従来、構造物の壁面を緑化する方法としては、例えばツル植物を構造物の壁面に沿って這わせることにより緑化する方法や、構造物の壁面やフェンスに植物を育成したポットや植物鉢を引っ掛けて吊るし下げるハンギング等が知られている。また、壁面緑化を目的として種々の緑化パネルが提案され（特許文献１〜４）、この緑化パネルは室内の飾りなどとしても利用されている。
【先行技術文献】
【特許文献】
【０００３】
【特許文献１】特開２００６−２０４２８１号公報
【特許文献２】特開２００１−２１４４４７号公報
【特許文献３】特開平８−３１１８７８号公報
【特許文献４】特開２００８−１４２０４４号公報
【考案の概要】
【考案が解決しようとする課題】
【０００４】
このような種々の緑化パネルは、四周に枠を設けて内部に植生基盤材を設け、前後方向から植生基盤材を網で固定してパネル状とする形式のものであるが、複雑なマット構造であったり、壁面の補修等の際には別の場所に容易に移動できなかったり、部屋の壁面に簡単に置くことができなかったり、水の供給や管理に手間を要するなどの問題があった。
【０００５】
この考案は、かかる点に鑑みてなされたもので、簡単な構造で、壁面の補修等の際には別の場所に容易に移動でき、部屋などの壁面に簡単に置くことができ、しかも水の供給や管理が容易である緑化パネルを提供することを目的としている。
【課題を解決するための手段】
【０００６】
前記課題を解決し、かつ目的を達成するために、この考案は、以下のように構成した。
【０００７】
請求項１に記載の考案は、適宜厚さを有する枠体と、
前記枠体の前面を覆う前面側網と、
植物を定着させる緑化マットと、
土壌と不織布とを１組または複数組重ねた植栽セットと、
前記枠体の後面を塞ぐ後面側網とを有し、
前記緑化マットは、前記前面側網側に配置され、
前記植栽セットは、前記後面側網側に配置され、
前記枠体の下部には、貯水部と排水栓と貯水目盛を備え、
前記枠体の上部には、着脱式の蓋を備える、
ことを特徴とする緑化パネルである。
【考案の効果】
【０００８】
前記構成により、この考案は、以下のような効果を有する。
【０００９】
請求項１に記載した考案では、枠体の前面を覆う前面側網と、植物を定着させる緑化マットと、土壌と不織布とを１組または複数組重ねた植栽セットと、枠体の後面を塞ぐ後面側網とを有し、緑化マットは、前面側網側に配置され、植栽セットは、後面側網側に配置された簡便な構成であり、壁面の補修等の際には別の場所に容易に移動でき、かつ部屋の壁面などに簡単に置くことができる。
【００１０】
また、枠体の下部には、貯水部と排水栓と貯水目盛を備え、枠体の上部には、着脱式の蓋を備えることで、枠体の上部から水を供給し、また枠体の表や裏からも水を供給でき、設置の仕方でいろいろな水の供給が可能である。
【００１１】
また、植物を定着させる緑化マットと、土壌と不織布とを１組または複数組重ねた植栽セットとを有することで、保水力が向上でき植物の育成に好適であると共に、潅水の回数を低減することができ、水の管理の手間を大幅に低減することができる。
【図面の簡単な説明】
【００１２】
【図１】緑化パネルを分解した状態の斜視図である。
【図２】緑化パネルを組み付けた状態の斜視図である。
【図３】緑化パネルを組み付けた状態の断面図である。
【図４】緑化パネルの使用を説明する図である。
【図５】緑化パネルに水を供給する状態を説明する図である。
【考案を実施するための形態】
【００１３】
以下、この考案の緑化パネルの実施の形態について説明する。この考案の実施の形態は、考案の最も好ましい形態を示すものであり、この考案はこれに限定されない。
【００１４】
この実施の形態の緑化パネルを、図１乃至図３に示す。図１は緑化パネルを分解した状態の斜視図、図２は緑化パネルを組み付けた状態の斜視図、図３は緑化パネルを組み付けた状態の断面図である。
【００１５】
この実施の形態の緑化パネル１０は、適宜厚さを有する枠体２０と、枠体２０の前面を覆う前面側網３０と、植物４１を定着させる緑化マット４０と、土壌５１と不織布５２とを１組または複数組重ねた植栽セット５０と、枠体２０の後面を塞ぐ後面側網６０とを有し、これらは組み付け可能に構成されている。緑化マット４０は、前面側網３０側に配置され、植栽セット５０は、後面側網６０側に配置される。
【００１６】
枠体２０は、例えば横３００ｍｍ、縦４００ｍｍ、厚さ５０ｍｍの方形であり、木材を組み付けて形成される。枠体２０の表面側に縁２１を設けて３０ｍｍ程度の厚さを残して繰り抜かれ、方形の開口部２２が形成されるが、材料は樹脂などでもよく、横、縦、厚さなどの大きさも特に限定されない。また、方形に限らず、台形などの多角形でも、円形などでもよい。
【００１７】
枠体２０の下部には、貯水部２３と、排水栓２４と、貯水目盛２５を備える。貯水部２３は、下部の枠部２０ａに沿って内部に形成され、この貯水部２３は緑化マット４０に対応した位置に形成されている。排水栓２４は貯水部２３に連通して形成され、貯水目盛２５は外部から貯水部２３に溜まった水量を見ることができるようになっている。
【００１８】
枠体２０の上部には、着脱式の蓋２６を備える。この実施の形態では、上部の枠部２０ｂに沿って内部に供給開口２７が形成され、蓋２６を開いて水を供給開口２７から供給するようになっており、水を供給した後は蓋２６を閉じる。
【００１９】
前面側網３０は、金属線で形成されているが、表面を防錆塗装したものや、樹脂などで形成してもよく、例えば７５ｍｍ間隔で張られたメッシュであるが、メッシュは枠体２０の大きさや植える植物などによって自由に決めることができる。この前面側網３０は、枠体２０の前面の開口部２２を覆うように組み付ける。
【００２０】
緑化マット４０は、保水性を有する不織布で構成され、植物４１を定着させることができるものが用いられるが、例えばカッターナイフで切り込みを入れて、花などを新たに植え込むこともできる。この緑化マット４０には、植物４１が定着させてあり、前面側網３０の網目から葉が飛び出して緑化面となる。
【００２１】
植栽セット５０は、土壌５１と不織布５２とを１組または複数組重ねたセットであるが、土壌５１は、例えば袋５３などに入れておき、組み付け時に取り出すようにしてもよく、透水性の袋５３を用い、袋５３に土壌５１を入れて平らにした状態で用いてもよい。また、植栽セット５０を構成する組み込む組数は、緑化マット４０に入れる植物の種類に応じて適宜選択する。
【００２２】
後面側網６０は、前面側網３０と同様に金属線で形成されているが、表面を防錆塗装したものや、樹脂などで形成してもよく、例えば７５ｍｍ間隔で張られたメッシュであるが、メッシュは枠体２０の大きさや植える植物などによって自由に決めることができる。この後面側網６０は、枠体２０の後面の開口部２２を覆うように組み付ける。
【００２３】
次に、緑化パネル１０を使用する場合の一例を説明する。この実施の形態の緑化パネル１０は、枠体２０と、前面側網３０と、植栽セット５０と、後面側網６０とをセットとして販売し、緑化マット４０は植物４１を定着させた状態で、別途育成させたものを購入者に別便で郵送しても良い。
【００２４】
購入者は、緑化マット４０が届くと、枠体２０の前面に前面側網３０を組み付け、緑化マット４０を、植物４１が前面側網３０側になるようにして敷き、緑化マット４０の上に植栽セット５０の土壌５１を敷き、さらに土壌５１の上に不織布５２を敷き、後面側網６０を枠体２０の後面に組み付ける。また、植栽セット５０は、不織布５２を袋状とし、その中に土壌５１を入れ、土壌５１が散乱しないようにして、組み込んでも良い。
【００２５】
このようにして、緑化パネル１０の組み付けが完了すると、図４（ａ）に示すように、好みに応じて、緑化マット４０にカッター９０によって切り込み７０を入れて、好きな花などの植物９１を植え込んでも良い。
【００２６】
使用する時には、図４（ｂ）に示すように垂直にして、部屋の壁面やバルコニーの壁面、外構の柵などの好きな壁面に設置する。なお、緑化パネル１０には、植物９１を植え込まないようにしてもよい。
【００２７】
この緑化パネル１０に水を供給する場合には、図５（ａ）に示すように、緑化パネル１０の表面や裏面からの霧吹き９２を用いて、水を霧状にして吹き付けて供給し、植物には表面から水を供給できる他に、裏面からも水を供給することができる。
【００２８】
また、図５（ｂ）に示すように、上部の枠部２０ｂに設けた蓋２６を開いて、枠部２０ｂの上方からコップ９３などを用いて内部の供給開口２７に注ぎ込み、水を供給開口２７から供給し、水を供給した後は蓋２６を閉じ、上部からも水を供給することが可能である。
【００２９】
緑化マット４０は保水性があるため、一度水の供給を行うとある程度の水を保水し、植物に供給することができ、また余分な水は下に流れ落ちる。
【００３０】
枠体２０は、木材の繋ぎ目はシーリングが行われており、繋ぎ目から水が漏れないようになっている。下に流れ落ちた水は、枠体２０の下部の貯水部２３に溜まるため、下に流れ落ちず、上部の緑化マット４０が乾燥すると毛細管現象により水を吸い上げることができる。
【００３１】
枠体２０の下部の側面には、排水栓２４が設けられており、運搬・移動時のこぼれ防止など、必要に応じて排水栓２４を開いて水をコップ９４などに排出することができる。
【００３２】
また、枠体２０の下部の側面には、貯水目盛２５が設けられており、この貯水目盛２５によって貯水部２３に溜まった水の水位を見て、溜まった水の状態を確認することができる。
【００３３】
また、枠体２０の後面側網６０は取外し可能となっており、植栽セット５０は取替えすることができる。また、植物が枯れた場合や違う植物を楽しむ場合には、前面側網３０を取外し、緑化マット４０を取替えることで新たな緑化を楽しむことができる。
【００３４】
このように、緑化パネル１０は、枠体２０の前面を覆う前面側網３０と、植物４１を定着させる緑化マット４０と、土壌５１と不織布５２とを１組または複数組重ねた植栽セット５０と、枠体２０の後面を塞ぐ後面側網６０とを有し、緑化マット４０は、前面側網３０側に配置され、植栽セット５０は、後面側網６０側に配置された簡便な構成であり、部屋の壁面の補修等の際には別の場所に容易に移動でき、かつ部屋の壁面などに簡単に置くことができる。
【００３５】
また、緑化パネル１０は、枠体２０の下部に、貯水部２３と、排水栓２４と、貯水目盛２５を備え、枠体２０の上部には、着脱式の蓋２７を備えることで、枠体２０の上部から水を供給し、また枠体２０の表や裏からも水を供給でき、設置の仕方でいろいろな水の供給が可能である。
【００３６】
また、緑化パネル１０は、植物４１を定着させる緑化マット４０と、土壌５１と不織布５２とを１組または複数組重ねた植栽セット５０とを有することで、保水力が向上でき植物の育成に好適であると共に、潅水の回数を低減することができ、水の管理の手間を大幅に低減することができる。また、緑化パネル１０は、最裏面の不織布を緑化マットに交換したり、緑化マットとして利用することで、表裏両面を緑化することもできる。
【産業上の利用可能性】
【００３７】
この考案は、建物の室内の壁面、屋外の壁面、ベランダなどの構造物の壁面などに設けられる緑化パネルに適用でき、簡単な構造で、壁面の補修等の際には別の場所に容易に移動でき、部屋などの壁面に簡単に置くことができ、しかも水の供給や管理が容易である。
【符号の説明】
【００３８】
１０  緑化パネル
２０  枠体
２０ａ  下部の枠部
２１  縁
２２  開口部
２３  貯水部
２４  排水栓
２５  貯水目盛
２６  蓋
３０  前面側網
４０  緑化マット
４１  植物
５０  植栽セット
５１  土壌
５２  不織布
６０  後面側網
【図１】
0003157945.tif 000003
【図２】
0003157945.tif 000004
【図３】
0003157945.tif 000005
【図４】
0003157945.tif 000006
【図５】
0003157945.tif 000007